(57)【要約】【課題】薬剤がユーザに届いた後にも活用でき、ゴミの発生を抑制できる薬剤用緩衝材を提供すること。【解決手段】薬袋１は、ポリエチレン等の樹脂製のシートで形成され、開口１０が設けられた矩形の袋体２と、袋体２の開口部に設けられたチャック３と、袋体２の表面に印刷塗料で記載された薬剤情報４と、袋体２の背面に印刷塗料で領域が示された記入欄５を備える。薬剤情報４は、薬剤Ｐに関する情報として、名称、用途、服薬方法、注意事項が記載されている。記入欄５は、任意の文字を記入するメモ欄と、ユーザの氏名を記入する氏名欄が設けられている。薬剤Ｐの流通過程では、空気を封入した薬袋１を、薬瓶６に薬剤Ｐと共に収容して薬剤Ｐの緩衝を行う。薬剤Ｐがユーザに届いた後は、薬袋１内に薬剤Ｐを収容して保存や携帯の用途に供する。【選択図】図１
2016013249.tif 000002
【特許請求の範囲】
【請求項１】
薬剤の容器に収容されて衝撃を緩和する緩衝材であって、
上記薬剤を収容可能な袋体で形成されていることを特徴とする薬剤用緩衝材。
【請求項２】
請求項１に記載の薬剤用緩衝材において、
上記袋体の開口を開閉自在に閉じる閉鎖手段を備えることを特徴とする薬剤用緩衝材。
【請求項３】
請求項１又は２に記載の薬剤用緩衝材において、
上記袋体に気体が封入されて、上記容器と薬剤との間に配置されていることを特徴とする薬剤用緩衝材。
【請求項４】
請求項１乃至３のいずれかに記載の薬剤用緩衝材において、
上記薬剤に関する情報が記載されていることを特徴とする薬剤用緩衝材。
【請求項５】
請求項１乃至４のいずれかに記載の薬剤用緩衝材において、
情報を記入可能に形成された記入欄が設けられていることを特徴とする薬剤用緩衝材。
【請求項６】
請求項１乃至５のいずれかに記載の薬剤用緩衝材において、
表面に乾燥剤が設けられていることを特徴とする薬剤用緩衝材。
【発明の詳細な説明】
【技術分野】
【０００１】
本発明は、薬剤の破損を防止するために容器に収容される薬剤用緩衝材に関する。
【背景技術】
【０００２】
従来より、薬瓶に詰められて流通する薬剤は、薬瓶と薬剤との間に形成される空間に詰められた緩衝材により、流通過程での破損が防止されている。このような緩衝材としては、樹脂製のシートを不定形に丸めたものが一般的であるが、薬瓶の蓋を閉じる際にシートが薬瓶本体と蓋の間に挟まれる不都合や、丸めたシートに薬剤が嵌まり込み、緩衝材を取り出すときに薬剤が飛び出す不都合がある。
【０００３】
このような不都合を防止するため、従来、一端が解放され、他端が閉鎖された樹脂製のネットを、開放側の端部を捲り上げて巻き込み、リンゴ状の塊状体に形成してなる緩衝材が提案されている（例えば、特許文献１）。この緩衝材によれば、薬瓶の本体と蓋の間に緩衝材が挟まれる不都合や、緩衝材を取り出すときに錠剤が飛び出す不都合を防止できるとされている。
【先行技術文献】
【特許文献】
【０００４】
【特許文献１】特開２００３−４０３３５号公報
【発明の概要】
【発明が解決しようとする課題】
【０００５】
しかしながら、上記従来の薬剤用緩衝材は、薬剤がユーザに届いた後は、薬剤はピルケース等に詰め替えられて携帯されることが多いので、薬剤を保護する役目が終了して不用となる。薬剤用緩衝材として不用となった樹脂製のシートやネットは、薬剤を保護する用途以外の用途が実質的に存在しないので廃棄され、ゴミとなり、環境への負荷となる恐れがある。
【０００６】
そこで、本発明の課題は、薬剤がユーザに届いた後にも活用でき、ゴミの発生を抑制できる薬剤用緩衝材を提供することにある。
【課題を解決するための手段】
【０００７】
上記課題を解決するため、本発明の薬剤用緩衝材は、薬剤の容器に収容されて衝撃を緩和する緩衝材であって、
上記薬剤を収容可能な袋体で形成されていることを特徴としている。
【０００８】
上記構成の薬剤用緩衝材は、薬剤の容器内に収容されて衝撃を緩和し、薬剤の流通過程において薬剤の破損を防止する。薬剤がユーザに届き、緩衝材としての役目が終了すると、薬剤を収容可能な袋体で形成されているので、上記薬剤を収容して例えば保存や携帯の用途に供することができる。このように、本発明の薬剤用緩衝材は、薬剤の流通過程で破損を防止すると共に、薬剤がユーザに届いた後に薬剤を収容して保存や携帯に利用できるので、緩衝材が不用になってゴミとなることを防止できる。その結果、ゴミ処理に伴う環境への負荷を低減できる。また、薬剤を容器から詰め替えるためのピルケースを不要にできる。ここで、薬剤用緩衝材を形成する袋体は、ポリエチレン等の樹脂や紙等で形成することができる。また、上記薬剤の容器は、薬剤を直接又は間接に収容する種々の容器が該当し、例えばガラス製又は樹脂製の瓶や、紙製又は樹脂製の箱等が該当する。
【０００９】
一実施形態の薬剤用緩衝材は、上記袋体の開口を開閉自在に閉じる閉鎖手段を備える。
【００１０】
上記実施形態によれば、閉鎖手段により袋体の開口を閉じることにより、薬剤が脱落することなく安定して袋体内に保持することができる。また、閉鎖手段は袋体の開口を開閉自在に閉じるので、継続して薬剤の保存や携帯の用途に使用することができる。ここで、上記閉鎖手段としては、例えば、開口に沿って対向配置された凸条と凹条とを嵌合して上記開口を閉じる所謂チャックや、開口に沿って対向配置された帯に設けられたループ状の繊維とフック状の繊維が係合して上記開口を閉じる所謂面ファスナ等を適用できる。
【００１１】
一実施形態の薬剤用緩衝材は、上記袋体に気体が封入されて、上記容器と薬剤との間に配置されている。
【００１２】
上記実施形態によれば、袋体に気体が封入されることにより、薬剤の緩衝作用が高まるので、薬剤の破損を効果的に防止できる。
【００１３】
一実施形態の薬剤用緩衝材は、上記薬剤に関する情報が記載されている。
【００１４】
上記実施形態によれば、収容する薬剤に関する情報を、容易にユーザに知らせることができる。ここで、薬剤に関する情報とは、薬剤の名称、用途、種別、成分、形状、服薬方法、効果及び注意事項等が該当する。
【００１５】
一実施形態の薬剤用緩衝材は、情報を記入可能に形成された記入欄が設けられている。
【００１６】
上記実施形態によれば、ユーザが記入欄に所望の情報を記入することができる。例えば、記入欄には、情報としてユーザの氏名、注意事項及び服薬方法等を記入することができる。
【００１７】
一実施形態の薬剤用緩衝材は、表面に乾燥剤が設けられている。
【００１８】
上記実施形態によれば、容器内に薬剤と共に収容される場合と、薬剤を収容する場合とのいずれか一方又は両方において、薬剤を乾燥状態に保つことができる。ここで、乾燥剤は、シート状に形成されて袋体の表面に設けられているのが好ましい。このような乾燥剤としては、乾燥作用を有する塗料を袋体の表面に印刷技術により塗布したものや、乾燥作用を有する材料を担持したシートを袋体の表面に接着したものを採用できる。また、乾燥剤は、袋体の内側及び外側のいずれか一方又は両方に設けられてもよい。袋体の内側及び外側のうちの一方の側に乾燥剤が設けられた場合、容器内に薬剤と共に収容されるときには袋体の乾燥剤が設けられた側を外側に臨ませる一方、薬剤を収容するときには袋体の乾燥剤が設けられた側を内側に臨ませる。これにより、容器内に薬剤と共に収容されるときと、薬剤を収容するときとの両方において、薬剤を乾燥状態に保つことができる。
【図面の簡単な説明】
【００１９】
【図１】本発明の第１実施形態の薬剤用緩衝材を示す正面図である。
【図２】薬剤用緩衝材を示す背面図である。
【図３】薬剤用緩衝材の開口を閉じる閉鎖手段を示す断面図である。
【図４】他の閉鎖手段を示す断面図である。
【図５】薬剤用緩衝材を収容した薬瓶の包装状態を示す断面図である。
【図６】第２実施形態の薬剤用緩衝材を示す断面図である。
【図７】薬剤用緩衝材が薬剤を収容した様子を示す断面図である。
【発明を実施するための形態】
【００２０】
以下、本発明を図示の実施の形態により詳細に説明する。
【００２１】
図１は、本発明の第１実施形態の薬剤用緩衝材としての薬袋を示す正面図であり、図２は、薬袋の背面図である。この薬袋１は、薬剤を収容する容器としての薬瓶に、薬剤と共に収容されて緩衝材として機能すると共に、薬瓶から取り出されて薬剤の薬袋として機能するものである。
【００２２】
薬袋１は、ポリエチレン等の樹脂製のシートで形成され、図１において紙面の上側の辺に開口１０が設けられた矩形の袋体２と、袋体２の開口部に設けられた閉鎖手段としてのチャック３と、袋体２の表面に印刷塗料で記載された薬剤情報４と、袋体２の背面に印刷塗料で領域が示された記入欄５を備える。
【００２３】
袋体２は、筒状のシート素材が所定長さに切断され、切断部の一方の縁が溶着されて底部が形成されたものである。なお、袋体２は、矩形のシートの３辺が溶着されて底部と左右両側部が形成されたものでもよく、袋体２の製造方法は特に限定されない。また、袋体２は、２枚のシートを重ねた２重構造のシートで形成されてもよい。
【００２４】
図３は、袋体２の開口部に設けられたチャック３を示す断面図である。チャック３は、袋体２の開口１０から底側に多少離れた位置に、正面視において開口１０と平行に配置され、開口１０を開閉自在に閉鎖するように形成されている。チャック３は、袋体２の正面側のシートの内側に溶着された凸テープ３１と、袋体２の背面側のシートの内側に溶着された凹テープ３２とで構成される。凸テープ３１は、断面視において先端が拡幅した凸条を有し、凹テープ３２は、断面視において２つの係合爪が先端に形成された凹条を有する。チャック３を閉じるとき、凸テープ３１と凹テープ３２をシートの外側から押圧し、上記凸テープ３１の凸条と凹テープ３２の凹条とを係合させて、上記凸条の先端部を上記凹条の２つの係合爪で挟んで係合を保持するようになっている。これにより、袋体２の開口１０が密閉される。袋体２の開口１０を開くときは、シートの開口１０とチャック３との間の部分を指で掴み、凸テープ３１と凹テープ３２が離脱する方向に力を作用させ、上記凸テープ３１の凸条と凹テープ３２の凹条との係合を解除する。これにより、袋体２の開口１０が解放される。
【００２５】
開口１０を閉鎖する閉鎖手段はチャック３に限られず、種々の形態のものを用いることができる。図４は、閉鎖手段の他の例としての面ファスナ１３を示す図である。面ファスナ１３は、チャック３と同様に、袋体２の開口１０から底側に多少離れた位置に、正面視において開口１０と平行に配置され、開口１０を開閉自在に閉鎖する。面ファスナ１３は、袋体２の正面側のシートの内側に溶着されたフックテープ３４と、袋体２の背面側のシートの内側に溶着されたループテープ３５とで構成される。フックテープ３４は、表面に複数の鉤状の繊維が突出するように編み込まれており、ループテープ３５は、表面に複数の環状の繊維が編み込まれている。面ファスナ１３を閉じるとき、フックテープ３４とループテープ３５を接触させることにより、フックテープ３４の鉤状の繊維をループテープ３５の環状の繊維に係合させて、フックテープ３４とループテープ３５とを一体に保持するようになっている。これにより、袋体２の開口１０が密閉される。袋体２の開口１０を開くときは、シートの開口１０と面ファスナ１３との間の部分を指で掴み、フックテープ３４とループテープ３５が離脱する方向に力を作用させ、上記フックテープ３４の鉤状の繊維とループテープ３５の環状の繊維との係合を解除する。これにより、袋体２の開口１０が解放される。
【００２６】
薬剤情報４は、薬剤Ｐに関する情報として、名称、用途、服薬方法、注意事項が記載されている。記入欄５は、任意の文字を記入するメモ欄と、ユーザの氏名を記入する氏名欄が設けられている。記入欄５には、シートに適用可能な筆記具によりユーザがメモや氏名を記入可能になっている。ここで、薬剤情報４及び記入欄５は、袋体２に直接印刷して設けてもよいが、表面に薬剤情報４や記入欄５を示す文字や図形が印刷され、裏面に接着剤が塗布された紙製や樹脂製のシート片を、袋体２に貼付して設けてもよい。
【００２７】
図５は、薬剤Ｐの流通過程における包装状態を示す断面図である。本実施形態の薬袋１は、薬剤Ｐの流通過程では、緩衝材として用いられる。薬剤Ｐは、ガラス製又は樹脂製の薬瓶６に詰められ、薬瓶６と薬剤Ｐとの間に形成される瓶内空間に、薬袋１が詰められている。薬袋１には気体としての空気が封入されており、空気が封入された薬袋１で瓶内空間を適度に埋めて、薬剤Ｐの緩衝を行うようになっている。なお、薬袋１は、空気を封入しなくてもよく、樹脂製の袋体２の弾性のみによって緩衝作用を発揮してもよい。薬瓶６は、薬袋１と薬剤Ｐを詰めた状態で、蓋７により密閉されている。蓋７で密閉された薬瓶６は、外箱８に詰められている。本実施形態の薬袋１は、薬瓶６内に詰めるほか、図５に示すように、薬瓶６と外箱８の間に折り畳んで詰めてもよい。折り畳んだ薬袋１を薬瓶６と外箱８の間に詰めることにより、薬瓶６を外箱８に直接収容するよりも、薬瓶６及び薬剤Ｐの緩衝作用を得ることができる。なお、薬瓶６と外箱８の間の薬袋１は、無くてもよい。
【００２８】
本実施形態の薬袋１は、薬剤Ｐの流通過程では、薬剤Ｐと共に薬瓶６に詰められて緩衝材として機能する一方、薬剤Ｐがユーザに届いて緩衝材としての役目が終了すると、薬剤Ｐを収容して保存や携帯の用途に供する。このように、薬袋１は、薬剤Ｐがユーザに届いた後にも薬剤Ｐの保存や携帯に利用されるので、従来のように緩衝材が不用になってゴミとなることを防止できる。その結果、ゴミ処理に伴う環境への負荷を低減できる。また、薬瓶６から詰め替えるためのピルケースを不要にできる。
【００２９】
図６は、第２実施形態の薬剤用緩衝材としての薬袋を示す断面図である。本実施形態の薬袋１１は、薬剤Ｐの緩衝機能に加えて乾燥機能を有する。第２実施形態において、第１実施形態と同じ機能を有する部分は同一の符号を引用して詳細な説明を省略する。
【００３０】
図６は、第２実施形態の薬袋１１を薬瓶６に収容する前の状態を示している。薬袋１１の袋体２には、チャック３の凸テープ３１及び凹テープ３２が溶着された側の面に、シート状の乾燥剤１７が設けられている。シート状の乾燥剤１７としては、例えばシリカ等の乾燥作用を有する乾燥粉末を印刷技術等により塗布したものや、乾燥粉末を担持した繊維シートを貼付したものを用いることができる。
【００３１】
第２実施形態の薬袋１１は、薬剤Ｐの流通過程では、袋体２の乾燥剤１７が設けられた面を外側にして、薬剤Ｐと共に薬瓶６に収容する。これにより、薬袋１１の乾燥剤１７を薬瓶６の瓶内空間に臨ませて、流通過程で薬剤Ｐの乾燥を効果的に行うことができる。一方、薬剤Ｐがユーザに届いて薬袋１１の緩衝材としての役目が終了すると、図７に示すように、袋体２を裏返し、乾燥剤１７が設けられた面を袋体２の内側に向けて、薬袋１１を薬剤Ｐの保存や携帯の用途に供する。乾燥剤１７を内側に向けた袋体２内に薬剤Ｐを収容することにより、薬袋１１を保存や携帯に用いる場合においても、薬剤Ｐを効果的に乾燥させることができる。このように、本実施形態の薬袋１１によれば、緩衝材として用いる場合と、薬剤Ｐの保存や携帯に用いる場合との両方において、薬剤Ｐを乾燥させることができる。
【００３２】
上記薬袋１１は、乾燥剤１７を袋体２の外側に向けて薬剤Ｐと共に薬瓶６に収容するときに、袋体２内に空気を封入してもよい。この場合、チャック３の凸テープ３１及び凹テープ３２を反転させて、開口１０を閉鎖することができる。また、袋体２の凸テープ３１及び凹テープ３２が溶着された側と反対側に、第２の凸テープ３１と凹テープ３２を設け、乾燥剤１７を外側に向けたときに袋体２を封止するための第２のチャックを形成してもよい。
【符号の説明】
【００３３】
１，１１  薬袋
２  袋体
３  チャック
４  薬剤情報
５  記入欄
６  薬瓶
７  蓋
８  外箱
１０  開口
Ｐ  薬剤
【図１】
2016013249.tif 000003
【図２】
2016013249.tif 000004
【図３】
2016013249.tif 000005
【図４】
2016013249.tif 000006
【図５】
2016013249.tif 000007
【図６】
2016013249.tif 000008
【図７】
2016013249.tif 000009